(57)【要約】【課題】  屋内へと通じる風路内が負圧となる冷却装置において、ドレン水の排水経路に設けたトラップ内の水が枯渇したとしても、排水口を介して、冷却装置内部や、屋内への臭気や異物の侵入、水の噴き上げなどを信頼性高く防止することを課題とする。【解決手段】  利用側熱交換器１、送風機２、および前記利用側熱交換器１から発生する結露水を受水するドレンパン３をひとつの風路内に納めた冷却装置のドレンパン３の排水口部４に、トラップ５を介してドレンホース６を設けて成る冷却装置における排水路において、トラップ５に不揮発性で水よりも密度の大きい(比重の大きい)非水溶液、または不揮発性で水よりも密度の小さい(比重の小さい)非水溶液を封入した。【選択図】  図１
2006275454.tif 000002
【特許請求の範囲】
【請求項１】
利用側熱交換器、送風機、および前記利用側熱交換器から発生する結露水を受水するドレンパンをひとつの風路内に納めた冷却装置の前記ドレンパンの排水口部に、トラップを介してドレンホースを設けて成る冷却装置における排水路において、前記トラップに不揮発性で水よりも密度の大きい(比重の大きい)非水溶液を封入したことを特徴とする冷却装置における排水路。
【請求項２】
トラップは、トラップ１次側高さＬ１とトラップ２次側高さＬ２が下記の数１の式で表される構成であることを特徴とする請求項１記載の冷却装置における排水路。
【数１】
2006275454.tif 000005
【請求項３】
不揮発性で水よりも密度の大きい(比重の大きい)非水溶液は、水銀またはアニリンであることを特徴とする請求項１または２記載の冷却装置における排水路。
【請求項４】
利用側熱交換器、送風機、および前記利用側熱交換器から発生する結露水を受水するドレンパンをひとつの風路内に納めた冷却装置の前記ドレンパンの排水口部に、トラップを介してドレンホースを設けて成る冷却装置における排水路において、前記トラップの排水出口をトラップ内の他の通路箇所より狭くし、かつ、前記トラップに不揮発性で水よりも密度の小さく(比重の小さく)粘性の高い非水溶液を封入したことを特徴とする冷却装置における排水路。
【請求項５】
不揮発性で水よりも密度の小さい(比重の小さい)非水溶液が、油であることを特徴とする請求項４記載の冷却装置における排水路。
【発明の詳細な説明】
【技術分野】
【０００１】
この発明は、冷却装置における排水路に関するものであり、特に屋内へと通じる風路内が負圧となる冷却装置において、ドレン排水路にトラップを備えた冷却装置における排水路に関するものである。
【背景技術】
【０００２】
図４は、従来の冷却装置における排水路の簡略図である。
この図４において、熱交換器１、送風機２、ドレンパン３、ドレンパン排水口部４によって冷却装置が構成され、トラップ５、ドレンホース６によって機外への排水経路が構成されている。また、トラップ５の替わりに逆止弁などを用いるケースもある。
【０００３】
冷却装置内の熱交換器１から発生したドレン水は、ドレンパン３で受水され、ドレンパン排水口部４から排水され、トラップ５に導水される。トラップ５内に水がない場合、図５に示すような状態でトラップ５に水が溜まる。この時、トラップ５の１次側では負圧分水位が上昇し、トラップ５の２次側では、負圧分水位が下降する状態となる。そして、水がさらに供給されて２次側のトラップ高さ以上に水位が上昇すると、オーバーフローしてドレンホース６を介して排水される。以降、トラップ５内に水がある限り、ドレンパン排水口部４を介し、冷却装置内部や屋内への臭気や異物(塵挨、虫など)の侵入、水の噴き上げなどを防止することができる。
【０００４】
しかし、熱交換器１からのドレン水が発生しなくなり、トラップ５内の水が乾燥して枯渇すると、トラップ５の効果がなくなり、冷却装置内への臭気や異物(塵挨、虫など)の侵入、かつ負圧によりドレンパン排水口部４で水を噴き上げてドレンパン３内で水処理できず、ドレンパン３外へ水漏れを起こす。結果的に冷却装置外へ水漏れを起こしてしまう。
【０００５】
また、トラップ５の替わりに逆止弁を用いるケースでも同様で、逆止弁の弁部に異物が蓄積し、次第にシールができなくなればトラップの場合と同じ現象となりうるし、弁部が固着して開かなくなれば、排水不良に陥り、結果的に水漏れに至るという問題があった。
【０００６】
【特許文献１】特開平１０−２６７５０７号公報
【発明の開示】
【発明が解決しようとする課題】
【０００７】
この発明は前記のような点に鑑みて開発されたものであり、トラップ内の水が枯渇した場合でも、冷却装置内部や屋内への臭気や異物の侵入や、水の噴き上げなどを信頼性高く防止することができる冷却装置における排水路を提供することを目的とする。
【課題を解決するための手段】
【０００８】
請求項１記載の発明は、利用側熱交換器、送風機、および前記利用側熱交換器から発生する結露水を受水するドレンパンをひとつの風路内に納めた冷却装置の前記ドレンパンの排水口部に、トラップを介してドレンホースを設けて成る冷却装置における排水路において、前記トラップに不揮発性で水よりも密度の大きい(比重の大きい)非水溶液を封入したことを特徴とする構成である。
【０００９】
請求項２記載の発明は、請求項１記載の冷却装置における排水路の構成において、トラップは、トラップ１次側高さＬ１とトラップ２次側高さＬ２が下記の数１の式で表される構成であることを特徴とする構成である。
【００１０】
【数１】
2006275454.tif 000003
【００１１】
請求項３記載の発明は、請求項１または２記載の冷却装置における排水路の構成において、不揮発性で水よりも密度の大きい(比重の大きい)非水溶液は、水銀またはアニリンであることを特徴とする構成である。
【００１２】
請求項４記載の発明は、利用側熱交換器、送風機、および前記利用側熱交換器から発生する結露水を受水するドレンパンをひとつの風路内に納めた冷却装置の前記ドレンパンの排水口部に、トラップを介してドレンホースを設けて成る冷却装置における排水路において、前記トラップの排水出口をトラップ内の他の通路箇所より狭くし、かつ、前記トラップに不揮発性で水よりも密度の小さく(比重の小さく)粘性の高い非水溶液を封入したことを特徴とする構成である。
【００１３】
請求項５記載の発明は、請求項４記載の冷却装置における排水路の構成において、不揮発性で水よりも密度の小さい(比重の小さい)非水溶液が、油であることを特徴とする構成である。
【発明の効果】
【００１４】
請求項１に記載の発明によれば、トラップ内の水が枯渇しても封入された不揮発性で水よりも密度の大きい(比重の大きい)非水溶液によって、負圧防止機能、排水機能を維持することができ、冷却装置内部や屋内への臭気や異物、水の噴き上げなどを信頼性高く防止することができる。
【００１５】
また、請求項２に記載の発明のようにトラップ１次側高さＬ１と２次側高さＬ２とに数１の式で表される関係のトラップを使用することによって、請求項１と同様の効果をより確実に奏することができる。
【００１６】
また、請求項３に記載の発明のように不揮発性の非水溶液として水銀またはアニリンを使用することにより、請求項１に記載した効果を有効に奏することができる。
【００１７】
また、請求項４に記載の発明のようにトラップの排水出口をトラップ内の他の通路箇所より狭くし、かつ、前記トラップに不揮発性で水よりも密度の小さく(比重の小さく)粘性の高い非水溶液を封入したことにより、粘性と表面張力によって排水出口からの非水溶液の排出を防止できて、非水溶液よりも粘性の小さい水だけを排出することができる。そのため、ドレン水が枯渇しても負圧防止機能、排水機能を維持することができ、冷却装置内部や屋内への臭気や異物、水の噴き上げなどを信頼性高く防止することができる。
【００１８】
また、請求項５に記載の発明のように不揮発性の非水溶液として、油を使用することにより、高価な水銀やアニリンに比べ、安価で入手し易く、非水溶液の選定を容易に行なうことができる。
【発明を実施するための最良の形態】
【００１９】
実施の形態１．
以下、この発明の実施の形態１の冷却装置における排水路を図に基づいて説明する。なお、この発明の冷却装置における排水路の前提となる構成は、前記した従来の構成と同様に（図４参照）、利用側熱交換器１、送風機２、および前記利用側熱交換器１から発生する結露水を受水するドレンパン３をひとつの風路内に納めた冷却装置の前記ドレンパン３の排水口部４に、トラップ５を介してドレンホース６を設けた構成である。
【００２０】
図1は、この発明の実施の形態１におけるトラップ内部構造図である。
まず、図１より、トラップ５の構成について説明をする。ここでは、簡易的に図に示すようなトラップ形状について、説明するが、他にループ状にトラップ５を形成してもよく、同じ効果が得られればよい。
【００２１】
まず、図示のトラップ内には不揮発性(空気中にて揮発しない)で、水よりも密度の大きく(比重の大きい)、かつ、水には溶けない非水溶液が封入されている。例えば、水銀やアニリンなどが挙げられる。その量は、想定される負圧ΔＰに対して、負圧分だけトラップ５の1次側の水位が上昇し、トラップ５の２次側の水位が低下するため、トラップ５の２次側の水位がＡ点を下回らないだけの水位を確保できる量としておく。非水溶液の量が少なく、トラップ５の２次側の水位がＡ点を下回ると、効果が低減してしまうためである。
【００２２】
また、トラップ５の形状として、トラップ５の１次側高さＬ１と２次側高さＬ２が、それぞれ以下の(１)、(２)式に従い設定されている。
【００２３】
【数１】
2006275454.tif 000004
【００２４】
次に、図２に基いて排水の原理について説明する。
図２（Ａ）は、負圧の発生していない、すなわち送風機２の停止状態を示す。この状態から送風機２が運転し、負圧が発生すると図2（Ｂ）の状態となる。トラップ５の1次側の非水溶液の水位ｈ１が上昇し、トラップ５の２次側の水位が負圧分だけ低下する。ここへ、熱交換器１からドレン水が発生し、ドレンパン３で受水し、ドレンパン排水口部４から排水されたドレン水がトラップ５へ導かれると、図２（Ｃ）に示すように、非水溶液の密度ρ1>水の密度ρOであるため、トラップ５の１次側の非水溶液の水面上に水が溜まり始める。そして、水の水位ｈ０がｈ０≧ρ１／ρ０×ｈ１’となった時点で、図２（Ｄ）に示すように水の液中差が比重の差に打ち勝って水がトラップ５の２次側へと移動する。
【００２５】
以上のように、トラップ５内の水が枯渇しても、封入された不揮発性で水よりも密度の大きい(比重の大きい)非水溶液によって、負圧防止機能、排水機能を維持することができる。また、冷却装置内部や屋内への臭気や異物の侵入を防止でき、水の噴き上げなどを信頼性高く防止することができる。さらに数１の式で表される関係に形成したトラップを使用することによって、前記の作用効果をより確実に発揮することができる。
【００２６】
実施の形態２．
以下、この発明の実施の形態２の冷却装置における排水路について説明する。
なお、この発明の実施の形態２の冷却装置における排水路の前提となる構成は、実施の形態１と同様であり説明を省略する。
【００２７】
図３は、この発明の実施の形態２におけるトラップ内部構造図である。この例の冷却装置における排水路においては、トラップ５の排水出口７をトラップ５内の他の通路箇所８より狭く形成してある。そして、このトラップ５には、油等の不揮発性で水よりも密度の小さく(比重の小さく)粘性の高い非水溶液を封入する。
【００２８】
トラップ５の二次側の排水出口７を他の通路箇所８より狭くする（絞る）ことで、負圧の液中差に勝る粘性、表面張力により非水溶液を１次側へ戻し、水のみを排水することができる。
【００２９】
そのため、ドレン水が枯渇しても負圧防止機能、排水機能を維持することができる。そして、冷却装置内部や屋内への臭気や異物の侵入を防止し、水の噴き上げなどを信頼性高く防止することができる。また油を使用することにより、高価な水銀やアニリンに比べ、安価で入手し易く、非水溶液の選定を容易に行なうことができる。
【図面の簡単な説明】
【００３０】
【図１】この発明の実施の形態1における排水経路を示す説明図である。
【図２】この発明の実施の形態1における排水原理の説明図である。
【図３】この発明の実施の形態２における排水経路を示す図である。
【図４】従来の冷却装置における排水路の簡略図である
【図５】従来の冷却装置におけるトラップに水の溜まった状態を示す説明図である。
【符号の説明】
【００３１】
１  熱交換器、２  送風機、３  ドレンパン、４  ドレンパン排水口部、５  トラップ、６  ドレンホース、７  排水出口、８  他の通路箇所。
【図１】
2006275454.tif 000006
【図２】
2006275454.tif 000007
【図３】
2006275454.tif 000008
【図４】
2006275454.tif 000009
【図５】
2006275454.tif 000010